(57)【特許請求の範囲】
【請求項１】
支柱部材(3)を上方に向けて順次連結することにより構築される仮設足場であり、建造物等の壁面に沿うＸ方向と該壁面に向かう遠近方向のＹ方向に関して、それぞれ前記Ｘ方向に所定間隔をあけて内側支柱(2a)と外側支柱(2b)を構築し、内側支柱を壁面の近傍に立設すると共に、外側支柱を内側支柱よりもＹ方向の外側に所定間隔をあけて立設し、前記Ｙ方向に対向する内側支柱と外側支柱を水平部材(6)で連結することにより両支柱間に足場空間(S)を形成すると共に、前記水平部材を介して形成される足場床(F)を低位から高位に向けて順次階層的に構築する構成において、
前記内側支柱と外側支柱のうち一方の支柱(2)の上端部を足場の所定高さ中途位置(H)に配置すると共に、他方の支柱を前記所定高さ中途位置よりも上方に延設し、前記一方の支柱の上端部から前記Ｙ方向に偏位した位置に偏位支柱(2c)を立設可能とすることにより足場床の幅を変更可能とするブラケット(10)であり、
前記一方の支柱(2)の上端部に設けられた緊結手段(5a)に固着される固着手段(13)を備えた基端部から前記Ｙ方向に水平に延びる支持アーム(11)と、前記支持アームの先端に一体結合された耐力軸体(12)を備え、
前記耐力軸体(12)は、鉛直軸線Ｄ３に沿って配置され前記偏位支柱(2c)を同軸状に立設させる支持軸部(14)と、該支持軸部から前記一方の支柱の下方位置に固設された張出片(5b)に向けて斜めに延びる傾斜軸部(15)と、該傾斜軸部の下端部の係止軸部(16)を一体に形成しており、
前記一方の支柱(2)の径方向に移動不能に係止されると共に張出片(5b)の上に下動不能に載置される固定手段(19)を前記係止軸部(16)に設けて成ることを特徴とする足場用ブラケット。
【請求項２】
前記固定手段(19)は、係止軸部(16)の側方に設けられることにより前記一方の支柱(2)の周面を挟持する挟持手段(27)と、係止軸部(16)の下方に延設されることより前記張出片(5b)に載置される座手段(28)を構成して成ることを特徴とする請求項１に記載の足場用ブラケット。
【請求項３】
前記座手段(28)に下向きに突出するピン(29)を設けており、前記張出片(5b)に形成された孔(30)に前記ピン(29)を挿入係止するように構成して成ることを特徴とする請求項２に記載の足場用ブラケット。
【請求項４】
足場空間をＹ方向に拡幅する拡幅用ブラケットを構成し、
足場の所定高さ中途位置(H)に配置された外側支柱(2b)の上端部に設けられた緊結手段(5a)に前記固着手段(13)を介して支持アーム(11)の基端部を固着すると共に、前記固定手段(19)を外側支柱(2b)の張出片(5b)に係止固定し、
外側支柱(2b)の上端部を内側支柱(2a)に水平部材(6)を介して連結した状態で、前記支持軸部(14)に偏位支柱(2c)を立設するように構成して成ることを特徴とする請求項１、２又は３に記載の足場用ブラケット。
【請求項５】
前記支持軸部(14)に緊結手段(18)を設けることにより、足場空間をＹ方向に狭幅する狭幅用ブラケットを構成し、
足場の所定高さ中途位置(H)に配置された内側支柱(2a)の上端部に設けられた緊結手段(5a)に前記固着手段(13)を介して支持アーム(11)の基端部を固着すると共に、前記固定手段(19)を内側支柱(2a)の張出片(5b)に係止し、
前記支持軸部(14)に設けた緊結手段(18)を外側支柱(2b)に水平部材(6e)を介して連結した状態で、前記支持軸部(14)に偏位支柱(2c)を立設するように構成して成ることを特徴とする請求項１、２又は３に記載の足場用ブラケット。
【請求項６】
前記支持軸部(14)に緊結手段(18)を設けることにより、足場空間をＹ方向に拡幅する拡幅用ブラケットと狭幅する狭幅用ブラケットを選択的に使用可能とする拡幅・狭幅兼用ブラケットを構成し、
拡幅ブラケットとして使用するときは、外側支柱(2b)の上端部に設けられた緊結手段(5a)に前記固着手段(13)を介して支持アーム(11)の基端部を固着すると共に、前記固定手段(19)を外側支柱(2b)の張出片(5b)に係止し、外側支柱(2b)の上端部を内側支柱(2a)に水平部材(6)を介して連結した状態で、前記支持軸部(14)に偏位支柱(2c)を立設するように構成し、
狭幅ブラケットとして使用するときは、内側支柱(2a)の上端部に設けられた緊結手段(5a)に前記固着手段(13)を介して支持アーム(11)の基端部を固着すると共に、前記固定手段(19)を内側支柱(2a)の張出片(5b)に係止し、前記支持軸部(14)に設けた緊結手段(18)を外側支柱(2b)に水平部材(6e)を介して連結した状態で、前記支持軸部(14)に偏位支柱(2c)を立設するように構成して成ることを特徴とする請求項１、２又は３に記載の足場用ブラケット。
【発明の詳細な説明】
【技術分野】
【０００１】
本発明は、仮設足場において低位から高位に向けて順次階層的に構築される足場床の幅を足場の高さ中途位置から変更可能とする足場用ブラケットに関する。
【背景技術】
【０００２】
従来、建設現場等において支柱部材を上方に向けて順次連結することにより構築される仮設足場は、建造物等の壁面に沿うＸ方向と該壁面に向かう遠近方向のＹ方向に関して、それぞれ前記Ｘ方向に所定間隔をあけて内側支柱と外側支柱を構築し、内側支柱を壁面の近傍に立設すると共に、外側支柱を内側支柱よりもＹ方向の外側に所定間隔をあけて立設し、前記Ｙ方向に対向する内側支柱と外側支柱を水平部材で連結することにより両支柱間に足場空間を形成すると共に、前記水平材に架設される足場床を低位から高位に向けて順次階層的に構築している。
【０００３】
従って、通常は、内側支柱と外側支柱がそれぞれ鉛直方向に一直線上に構築されるが、例えば、現場の敷地が狭い場合は、内側支柱と外側支柱の間隔が広く取れず、十分な幅の足場床を確保できないため、地上から何層か積み重ねた上方空間において、外側支柱をＹ方向の外側に偏位させることにより、足場床を拡幅する必要がある。反対に、十分な広さの敷地では内側支柱と外側支柱の間隔を広く取ることができるが、建造物等の壁面が高さ中途位置から外部に張り出す等の突出部を有する場合は、該突出部に対する内側支柱の干渉を回避するために、地上から何層か積み重ねた上方空間において、内側支柱をＹ方向の外側に偏位させることにより、足場床を狭幅する必要がある。
【先行技術文献】
【特許文献】
【０００４】
【特許文献１】特開２０１０−２０３１３８号公報
【発明の概要】
【発明が解決しようとする課題】
【０００５】
足場床の拡幅に関する従来技術を図９に示している。建造物等の壁面１に沿うＸ方向（符号Ｘは図示せず）と該壁面に向かう遠近方向のＹ方向に関して、それぞれ前記Ｘ方向に所定間隔をあけて内側支柱２ａと外側支柱２ｂが構築される。内側支柱２ａは、壁面１の近傍に立設され、鉛直軸線Ｄ１に沿って上方に延設され、外側支柱２ｂは、内側支柱２ａよりもＹ方向の外側に所定間隔をあけて立設され、鉛直軸線Ｄ２に沿って上方に延設される。内側支柱２ａ及び外側支柱２ｂは、所定長さの鋼管から成る支柱部材３を上方に向けて順次連結手段４を介して連結することにより構築され、前記Ｙ方向に対向する内側支柱２ａと外側支柱２ｂを相互に緊結手段５を介して水平部材６で連結することにより両支柱間に足場空間Ｓを形成すると共に、前記水平部材６に架設される足場板（図示せず）により足場床Ｆを形成する。従って、足場床Ｆは、低位から高位に向けて順次階層的に構築される。
【０００６】
そこで、拡幅を必要とする場合は、足場の所定中途高さ位置Ｈにおける所定階層の足場床Ｆに位置して、外側支柱２ｂからＹ方向の外側に向けて持ち送り枠７を組み立てることにより片持ち状に取付け、該持ち送り枠７の自由端の上に偏位支柱２ｃが立設される。偏位支柱２ｃも所定長さの鋼管から成る支柱部材３を上方に向けて順次連結することにより構築され、鉛直軸線Ｄ３に沿って上方に延設される。前記持ち送り枠７は、緊結手段５を介して外側支柱２ｂに連結される水平材７ａと、該水平材７ａを下方から外側支柱２ｂに支持させる補強材７ｂを組み付けている。
【０００７】
このようにして、前記水平材７ａに足場板を搭載することにより、所定階層の足場床Ｆから水平方向に拡張された拡幅足場床ｆが形成される。また、前記所定階層の足場床Ｆよりも上方の階層には、内側支柱２ａと外側支柱２ｂと偏位支柱２ｃの３本の支柱が平行に立設されているので、内側支柱２ａと外側支柱２ｂに架設した水平部材６により形成された上層階の足場床ＦＵに隣接して、外側支柱２ｂと偏位支柱２ｃに架設した拡幅水平部材６ａに足場板を搭載することにより拡幅足場床ｆｕが形成される。
【０００８】
この従来技術によれば、上層階における拡幅足場床ｆｕ及び偏位支柱２ｃの荷重は、持ち送り枠７と外側支柱２ｂの全体により支持されるので、各支柱２ａ、２ｂ、２ｃが鉛直軸線Ｄ１、Ｄ２、Ｄ３に沿う立設状態から湾曲等の歪みを生じる可能性は低く、仮設足場全体の剛性を保持することができる。
【０００９】
ところが、従来技術の場合、所定階層の足場床Ｆと拡幅足場床ｆの間のみならず、上層階における足場床ＦＵと拡幅足場床ｆｕの間に、外側支柱２ｂが立設されているので、作業者が足場床上で足場空間Ｓを往来する際の障害になり、拡幅による効果が乏しいという問題がある。
【００１０】
このため、図１０に示す変更技術例のように、持ち送り枠７を設けた所定階層の足場床Ｆの上方に外側支柱２ｂを立設せず、これにより障害物のない開放された作業空間ＳＯを形成し、上層階には、内側支柱２ａと偏位支柱２ｃを連結する長い水平部材６ｂにより、障害物のない足場床ＦＵと拡幅足場床ｆｕを同一平面上に形成することが望ましい。
【００１１】
しかしながら、このような変更技術例の場合は、上層階における拡幅足場床ｆｕや偏位支柱２ｃの荷重Ｐが持ち送り枠７に集中するので、該持ち送り枠７が下向きに傾くおそれがあり、それに伴い偏位支柱２ｃが図示矢印Ｑで示すように鉛直軸線Ｄ３から外向きに傾斜するおそれがある。そして、偏位支柱２ｃの軸線が僅かでも傾斜すると、上方に長く延びる偏位支柱２ｃの全体を鉛直軸線Ｄ３に沿う同軸心で保持できなくなるので、偏位支柱２ｃが歪み、それにより水平部材６ｂを介して内側支柱２ａを傾け、その結果、内側支柱２ａと偏位支柱２ｃがＳ字湾曲状に歪んでしまうという重大な問題を提起する。
【００１２】
この点に関して、図示のように、持ち送り枠７を強固に支持するための方杖８や、該方杖８の下端部を支持する外側支柱２ｂを補強するための補強水平材９を設ける等、特別な補強構造を加えれば、前記歪みを防止することが可能であるが、仮設足場の構築・解体が煩雑になるばかりか、前記補強水平材９が下層階の足場床ＦＬの障害物を生成するという問題がある。
【課題を解決するための手段】
【００１３】
本発明は、上記課題を解決した足場用ブラケットを提供するものであり、その手段として構成したところは、支柱部材を上方に向けて順次連結することにより構築される仮設足場であり、建造物等の壁面に沿うＸ方向と該壁面に向かう遠近方向のＹ方向に関して、それぞれ前記Ｘ方向に所定間隔をあけて内側支柱と外側支柱を構築し、内側支柱を壁面の近傍に立設すると共に、外側支柱を内側支柱よりもＹ方向の外側に所定間隔をあけて立設し、前記Ｙ方向に対向する内側支柱と外側支柱を水平部材で連結することにより両支柱間に足場空間を形成すると共に、前記水平部材を介して形成される足場床を低位から高位に向けて順次階層的に構築する構成において、前記内側支柱と外側支柱のうち一方の支柱の上端部を足場の所定高さ中途位置に配置すると共に、他方の支柱を前記所定高さ中途位置よりも上方に延設し、前記一方の支柱の上端部から前記Ｙ方向に偏位した位置に偏位支柱を立設可能とすることにより足場床の幅を変更可能とするブラケットであり、前記一方の支柱の上端部に設けられた緊結手段に固着される固着手段を備えた基端部から前記Ｙ方向に水平に延びる支持アームと、前記支持アームの先端に一体結合された耐力軸体を備え、前記耐力軸体は、鉛直軸線に沿って配置され前記偏位支柱を同軸状に立設させる支持軸部と、該支持軸部から前記一方の支柱の下方位置に固設された張出片に向けて斜めに延びる傾斜軸部と、該傾斜軸部の下端部の係止軸部を一体に形成しており、前記一方の支柱の径方向に移動不能に係止されると共に張出片の上に下動不能に載置される固定手段を前記係止軸部に設けて成る点にある。
【００１４】
前記固定手段は、係止軸部の側方に設けられることにより前記一方の支柱の周面を挟持する挟持手段と、係止軸部の下方に延設されることより前記張出片に載置される座手段を構成することが好ましく、前記座手段に下向きに突出するピンを設け、前記張出片に形成された孔に前記ピンを挿入係止するように構成することが更に好ましい。
【００１５】
本発明の実施形態において、ブラケットは、足場空間をＹ方向に拡幅する拡幅用ブラケットを構成することができる。この場合、ブラケットは、足場の所定高さ中途位置に配置された外側支柱の上端部に設けられた緊結手段に前記固着手段を介して支持アームの基端部を固着すると共に、前記固定手段を外側支柱の張出片に係止固定し、外側支柱の上端部を内側支柱に水平部材を介して連結した状態で、前記支持軸部に偏位支柱を立設するように構成される。
【００１６】
本発明の実施形態において、ブラケットは、前記支持軸部に緊結手段を設けることにより、足場空間をＹ方向に狭幅する狭幅用ブラケットを構成することができる。この場合、ブラケットは、足場の所定高さ中途位置に配置された内側支柱の上端部に設けられた緊結手段に前記固着手段を介して支持アームの基端部を固着すると共に、前記固定手段を内側支柱の張出片に係止固定し、前記支持軸部に設けた緊結手段を外側支柱に水平部材を介して連結した状態で、前記支持軸部に偏位支柱を立設するように構成される。
【００１７】
更に、本発明の好ましい実施形態において、ブラケットは、支持軸部に緊結手段を設けておくことにより、足場空間をＹ方向に拡幅する拡幅用ブラケットと狭幅する狭幅用ブラケットを選択的に使用可能とする拡幅・狭幅兼用ブラケットを構成することができる。ブラケットを拡幅用ブラケットとして使用する場合は、上述の通りであり、この際、支持軸部に設けた緊結手段は、足場空間の外側に配置されるので、先行手摺の取付手段として利用可能である。ブラケットを狭幅用ブラケットとして使用する場合は、上述のように、支持軸部に設けた緊結手段を外側支柱に水平部材を介して連結した状態で、支持軸部に偏位支柱を立設することができる。
【発明の効果】
【００１８】
本発明によれば、足場構築現場において、足場床の拡幅及び／又は狭幅が簡単な作業で行われ、しかも、構造が複雑な補強構造を加えなくても、上部の荷重を確実に支持することが可能であり、支柱の歪みを生じることなく、全体にわたり剛性を保持する強固な足場を構築できるという効果がある。
【００１９】
そして、拡幅に際しては、足場床と拡張足場床の間に図９に示す従来技術のような障害物を生成しないので、開放された作業空間を有効に利用できる足場床が形成され、拡幅による作業容易化の効果を発揮する。
【００２０】
ところで、拡幅及び／又は狭幅に際し、ブラケット１０が受ける荷重は、支持アーム１１に対するモーメントと、固着手段１３を介して該支持アーム１１を支持する支柱２に対する垂直荷重として作用するが、支持アーム１１は、耐力軸体１２により強固に支持され、モーメントに耐えることにより支持軸部１４を鉛直姿勢に保持する。この際、偏位支柱２ｃから作用する荷重は、耐力軸体１２の下端部の係止軸部１６に集中するが、上述のように、係止軸部１６は、固定手段１９により、支柱２の径方向に移動不能に係止されると共に、張出片５ｂの上に下動不能に載置されており、集中した荷重を支柱２の鉛直方向に作用させることができるので、ブラケット１０に歪み変形等を生じることはなく、鉛直姿勢を保持した状態で偏位支柱２ｃを好適に支持する。
【００２１】
この際、万一、ブラケット１０が横方向に位置ずれ等を生じると、支持軸部１４と偏位支柱２ｃの軸心ずれを招来するおそれがあるが、請求項２又は請求項３に記載の本発明によれば、挟持手段２７により支柱２の周面を挟持し、更に、座手段２８を張出片５ｂに載置した状態でピン２９を孔３０に挿入係止しているので、仮に強風等により偏位支柱２ｃが横向きの外力を受ける場合でも、ブラケット１０が所定位置で所定姿勢に堅持され、偏位支柱２ｃの軸心ずれを防止することが可能である。
【００２２】
更に、請求項６に記載の本発明によれば、拡幅用ブラケットと狭幅用ブラケットを別々に準備する必要はなく、１つのブラケット１０により拡幅と狭幅を兼用できる利点がある。
【図面の簡単な説明】
【００２３】
【図１】本発明の１実施形態に係るブラケットを示す正面図である。
【図２】ブラケットの平面を示しており、（Ａ）は全体の平面図、（Ｂ）は支持軸部に設けた連結手段を示す平面図、（Ｃ）は連結手段の作用を示す平面図である。
【図３】ブラケットの係止軸部に設けた固定手段の具体例を示しており、（Ａ）は固定手段を支柱の張出片に係止する前の状態を示す斜視図、（Ｂ）は固定手段を支柱の張出片に係止した状態を示す斜視図である。
【図４】拡幅ブラケットとしての使用状態を示す正面図である。
【図５】拡幅ブラケットとして使用した状態における付加的構成を示す正面図である。
【図６】狭幅ブラケットとしての使用状態を示す正面図である。
【図７】狭幅ブラケットとして使用した状態における付加的構成を示す正面図である。
【図８】ブラケットの意匠に関する構成を示しており、（Ａ）は正面図、（Ｂ）は右側面図、（Ｃ）は左側面図、（Ｄ）は平面図、（Ｅ）は底面図であり、背面図は正面図と対称にあらわれるので省略している。
【図９】足場床の拡幅に関する従来技術を示す正面図である。
【図１０】足場床の拡幅に関する変更技術例を示す正面図である。
【発明を実施するための形態】
【００２４】
以下図面に基づいて本発明の好ましい実施形態を詳述する。
【００２５】
図１は、本発明の１実施形態に係るブラケットを示しており、ブラケット１０は、支柱２（後述のように、拡幅の場合は外側支柱２ｂ、狭幅の場合は内側支柱２ａ）の軸線Ｄｘに直交して水平配置される支持アーム１１と、該支持アーム１１の先端に一体結合された耐力軸体１２を備えている。
【００２６】
前記支持アーム１１は、直管から成る鋼管等の金属管により形成され、支柱２の上端部に固設された緊結手段５ａに固着される固着手段１３を該支持アーム１１の基端部に設けている。図例の場合、前記緊結手段５ａと固着手段１３は、従来技術において水平部材６を支柱２に固着する緊結手段５と同様に、緊結用フランジの楔孔に楔片を楔結合する楔緊結構造を採用しているが、必ずしもこれに限定されるものではない。
【００２７】
前記耐力軸体１２は、１本の鋼管等の金属管を折曲することにより形成され、支柱２の軸線Ｄｘと平行な鉛直軸線Ｄ３に沿って配置される支持軸部１４と、該支持軸部１４から支柱２の下方位置に固設された緊結手段５により構成された張出片５ｂに向けて斜めに延びる傾斜軸部１５と、該傾斜軸部１５の下端部において支柱２の軸線Ｄｘと平行に延びる係止軸部１６を一体に備えている。
【００２８】
図示実施形態の場合、支持アーム１１と耐力軸体１２を連結する補強骨１７が設けられており、該補強骨１７は、前記鉛直軸線Ｄｘと平行に配置された直管から成る鋼管等の金属管により形成され、該補強骨１７の上端を支持アーム１１の基端部に近傍する下面に溶接等で固着し、下端を傾斜軸部１５の可及的下端近傍部の上面に溶接等で固着することにより、一体結合されている。尚、図例の場合、補強骨１７の下端部は、傾斜軸部１５に沿う屈折傾斜部１７ａを形成し、該屈折傾斜部１７ａを傾斜軸部１５の上面に溶接している。
【００２９】
従来技術に関して説明したように、仮設足場を構成する内側支柱２ａ、外側支柱２ｂ、偏位支柱２ｃは、それぞれ相互に共通部材とされた鋼管等の金属管から成る支柱部材３を下位から上位に向けて順次連結することにより構築され、該支柱部材３の軸方向に所定間隔をあけて緊結手段５を設けており、これに対応して、ブラケット１０は、耐力軸体１２を支柱部材３と同径同材とされた鋼管等の金属管により形成し、支持軸部１４に前記緊結手段５と同一構成とされた緊結手段１８を設けている。また、係止軸部１６には、支柱２の径方向に移動不能に係止されると共に張出片５ｂの上に下動不能に載置される固定手段１９が設けられている。
【００３０】
図示実施形態の場合、前記緊結手段１８は、図２に示すように、支持軸部１４に溶接等で固着された鋼板等の金属板から成るフランジ２０を有し、該フランジ２０の放射方向に楔孔２１を形成した楔緊結式の緊結手段を構成している。尚、内側支柱２ａは、図示のように、所定高さ毎に壁つなぎ材により壁面１に固定される。
【００３１】
更に、上述のように、それぞれの支柱２ａ、２ｂ、２ｃを構成する支柱部材３は、下層側の支柱部材３の上端部に設けた連結手段４に上層側の支柱部材３の下端部を入れ子式に嵌合することにより連結されるものであり、これに対応して、ブラケット１０の支持軸部１４の上端には、前記連結手段４と同一構成とされた連結手段２２が設けられている。図示実施形態の場合、連結手段２２は、支持軸部１４に挿入固着される挿入部２３と、支持軸部１４の上端にほぼ同一外径として連設される径大部２４を有すると共に、該径大部２４から上方に突出する軸管部２５を備え、前記径大部２４と軸管部２５に跨がるロック手段２６を設けている。ロック手段２６は、図２（Ｂ）（Ｃ）に示すように、下端部に折曲形成されたスライド部２６ａを径大部２４の直径方向にスライド自在に挿通すると共に、上端に折曲形成されたロック部２６ｂを軸管部２５の周面に設けた孔に挿脱自在に挿入しており、前記スライド部２６ａに設けたスプリング２６ｃにより、常時はロック部２６ｂを孔に挿入するように弾発付勢されている。後述するように支持軸部１４の上に連結される偏位支柱２ｃの周面には、前記ロック部２６ａを挿入可能とする孔が設けられており、図２（Ｃ）に示すように前記ロック部２６ａを軸管部２５から離反させた状態で、偏位支柱２ｃを軸管部２５に外嵌した後、前記スプリング２６ｃを介してロック部２６ａを戻すと、該ロック部２６ａが偏位支柱２ｃの孔を挿通して軸管部２５の孔に挿入され、偏位支柱２ｃを抜止め状態となるようにロックする。
【００３２】
ブラケット１０の係止軸部１６に設けた固定手段１９は、図３に示すように、係止軸部１６の側方に設けられた挟持手段２７と、係止軸部１６の下方に延設された座手段２８を備えている。
【００３３】
前記座手段２８は、ほぼＵ形に折曲形成された鋼板等の金属板から成り、側壁２８ａ、２８ａにより係止軸部１６を挟持した状態で溶接等により固着され、係止軸部１６の下端を超えて下方に突出された係止座部２８ｃを形成している。
【００３４】
前記挟持手段２７は、前記座手段２８に対して背合わせとなるようにほぼＵ形に折曲形成された鋼板等の金属板から成り、背壁２７ｂを前記座手段２８の背壁２８ｂに重ね合わせた状態で溶接等により固着され、該背壁２７ｂから突出する一対の挟持壁２７ａ、２７ａにより支柱２の周面を挟持するように構成されている。
【００３５】
更に、図示実施形態の場合、前記座手段２８には、下向きに突出するピン２９が固設されており、該ピン２９を支柱２の張出片５ｂに形成された孔３０に挿入係止するように構成されている。図例の場合、前記座手段２８の背壁２８ｂの下縁に形成した切欠き部にピン２９の基端部を挿入した状態で溶接等により固着し、ピン２９の先端が背壁２８ｂの下縁から下方に突出するように構成している。
【００３６】
支柱２の張出片５ｂは、上述のように支柱を構成する支柱部材３に設けられたフランジ式の緊締手段５を利用することが可能であり、その場合、楔緊結式のフランジにより構成された緊結手段５（張出片５ｂ）に設けられた楔孔により、ピン２９を挿入係止する孔３０を構成することができる。
【００３７】
上述のように、係止軸部１６は、傾斜軸部１５の下端部を屈折することにより、支柱２の軸線Ｄｘと平行するように形成され、挟持手段２７に設けられた背壁２７ｂが支柱２の軸方向に沿って当接し、座手段２８に設けられた係止座部２８ｃが張出片５ｂの上面と平行に面接触するように構成され、しかも、ピン２９が前記軸線Ｄｘに平行するように構成されている。
【００３８】
（拡幅用ブラケットの使用例）
本発明のブラケット１０を拡幅用ブラケットとして使用した場合の１例を図４に示している。上述の従来技術の説明と同様に、足場は、建造物等の壁面１に沿うＸ方向（符号Ｘは図示せず）に所定間隔をあけて内側支柱２ａと外側支柱２ｂを構築し、壁面１に向かう遠近方向のＹ方向に関して、内側支柱２ａは、壁面１の近傍に位置して鉛直軸線Ｄ１に沿うように立設され、外側支柱２ｂは、内側支柱２ａよりもＹ方向の外側に所定間隔をあけて鉛直軸線Ｄ２に沿うように立設される。内側支柱２ａ及び外側支柱２ｂは、所定長さの鋼管等の金属管から成る支柱部材３を上方に向けて順次連結手段４を介して連結することにより構築され、支柱部材３の上下方向に間隔をあけて緊結手段５を設けている。そこで、支柱部材３を上方に向けて順次連結する作業工程中に、前記Ｙ方向に対向する内側支柱２ａと外側支柱２ｂを相互に緊結手段５を介して水平部材６で連結することにより両支柱間に足場空間Ｓを形成すると共に、前記水平部材６に架設される足場板（図示せず）により足場床Ｆを形成する。従って、足場床Ｆは、低位から高位に向けて順次階層的に構築される。このため、図示省略しているが、上層階の足場床を設置する前に下層階の足場床から上層階の手摺体を設置する手摺先行工法を実施することが可能である。
【００３９】
そこで、拡幅が必要とされる足場の所定高さ中途位置Ｈにおける所定階層の足場床Ｆに位置して、外側支柱２ｂの上端部は、該高さ中途位置Ｈに配置させられる。この際、外側支柱２ｂの上端部には前記緊結手段５と同様の緊結手段５ａが固設されている。尚、内側支柱２ａは、前記高さ中途位置Ｈを超えて所望の高さまで上方に延長される。
【００４０】
ブラケット１０は、支持アーム１１の固着手段１３を外側支柱２ｂの上端部に固設された緊結手段５ａに固着され、係止軸部１６の固定手段１９を該外側支柱２ｂの下方位置に固設された緊結手段から成る張出片５ｂに係止されると共に該張出片５ｂの直上で外側支柱２ｂに係止される。具体的には、図３（Ｂ）に示すように、挟持手段２７の挟持壁２７ａ、２７ａにより外側支柱２ｂを挟持すると共に、ピン２９を張出片５ｂの孔３０に挿入係止した状態で、座手段２８の係止座部２８ｃを張出片５ｂの上に載置される。これにより、同図に示すＸ方向及びＹ方向の何れにも移動不能となるように係止軸部１６を係止固定することができる。
【００４１】
この状態で、所定高さ中途位置Ｈにおいて内側支柱２ａと外側支柱２ｂの間に架設された水平部材６と、ブラケット１０の支持アーム１１が同一高さとされるので、前記水平部材６に搭載される足場板により形成される足場床Ｆと同一平面上で、支持アーム１１に搭載される足場板により拡張された拡幅足場床ｆが形成される。
【００４２】
ブラケット１０を取付けた状態で、鉛直軸線Ｄ３を保持する支持軸部１４の上に偏位支柱２ｃが立設される。上述のように、支持軸部１４には連結手段２２が設けられているので、該連結手段２２の軸管部２５に偏位支柱２ｃの下端部を外嵌すると共にロック手段２６により抜止め状にロックされる。これにより、偏位支柱２ｃは、支持軸部１４と同軸状態を保持される。
【００４３】
前記所定高さ中途位置Ｈにおいて拡幅足場床ｆを形成された所定階層の足場床Ｆよりも上方の階層には、内側支柱２ａと偏位支柱２ｃが鉛直方向に平行に立設されるので、内側支柱２ａと偏位支柱２ｃを長い水平部材６ｃで連結し、該水平部材６ｃに足場板を搭載することにより、足場床ＦＵと拡幅足場床ｆｕが同一平面上に形成される。このような上層階の足場床に関しても、支柱部材３を上方に順次連結することにより内側支柱２ａと偏位支柱２ｃを延長しながら構築する際に、上述の手摺先行工法を実施することが可能である。この際、ブラケット１０により拡幅された階層の足場床Ｆ（ｆ）には、図２（Ａ）に示すように、緊結手段１８を構成するフランジ２０の楔孔２１を利用することにより、先行手摺Ｇが取付けられる。
【００４４】
（拡幅用ブラケットの使用例における付加的構成）
上述のように拡幅用ブラケット１０を使用することにより足場の足場床を拡幅する際、本発明は、図５に示すような付加的構成を妨げるものではない。
【００４５】
例えば、外側支柱２ｂの上端部に他の支柱部材３に設けられた連結手段４と同様の連結手段４ａを設けることにより、鉛直軸線Ｄ２に沿って更に支柱部材３ａを立設しても良い。これにより、前記支柱部材３ａと偏位支柱２ｃを相互に緊結手段５を介して補強水平材６ｄにより連結できるので、上部からブラケット１０に向けて集中する荷重を、前記支柱部材３ａを介して外側支柱２ｂに分担させることが可能となる。尚、前記支柱部材３ａは、１本のみならず複数本でも良いが、上層階の足場床ＦＵを超えない本数及び長さとするのが好ましく、これにより上層階の足場床ＦＵに障害物を生成することはない。
【００４６】
また、ブラケット１０の係止軸部１６を係止させられた外側支柱２ｂの軸方向に鉛直補強材３１を添設することにより、簡単な構成で当該部位における外側支柱２ｂを補強することができる。
【００４７】
（狭幅用ブラケットの使用例）
本発明のブラケット１０を狭幅用ブラケットとして使用した場合の１例を図６に示している。上述の場合と同様に、鉛直軸線Ｄ１に沿う内側支柱２ａと、鉛直軸線Ｄ２に沿う外側支柱２ｂが立設され、Ｙ方向に対向する内側支柱２ａと外側支柱２ｂを相互に緊結手段５を介して水平部材６で連結することにより両支柱間に足場空間Ｓが形成され、前記水平部材６に架設される足場板（図示せず）により足場床Ｆが形成される。この場合も、上層階の足場床を設置する前に下層階の足場床から上層階の手摺体を設置する手摺先行工法を実施することが可能である。
【００４８】
狭幅が必要とされる足場の所定高さ中途位置Ｈにおける所定階層の足場床Ｆに位置して、内側支柱２ａの上端部は、該高さ中途位置Ｈに配置させられる。この際、内側支柱２ａの上端部には前記緊結手段５と同様の緊結手段５ａが固設されている。尚、外側支柱２ｂは、前記高さ中途位置Ｈを超えて所望の高さまで上方に延長される。
【００４９】
ブラケット１０は、支持アーム１１の固着手段１３を内側支柱２ａの上端部に固設された緊結手段５ａに固着され、係止軸部１６の固定手段１９を該内側支柱２ａの下方位置に固設された緊結手段から成る張出片５ｂに係止されると共に該張出片５ｂの直上で内側支柱２ａに係止される。具体的には、拡幅の場合と同様に、挟持手段２７の挟持壁２７ａ、２７ａにより内側支柱２ａを挟持すると共に、ピン２９を張出片５ｂの孔３０に挿入係止した状態で、座手段２８の係止座部２８ｃを張出片５ｂの上に載置し、Ｘ方向及びＹ方向の何れにも移動不能となるように係止軸部１６を係止固定する。
【００５０】
この状態で、支持軸部１４に固設された緊結手段１８と外側支柱２ｂの緊結手段５の間に短い水平部材６ｅを架設し、該水平部材６ｅに足場板を搭載することにより狭幅された足場床Ｆｓが形成される。ブラケット１０の支持アーム１１には、足場板を搭載しても搭載しなくても良いが、搭載した場合は、下層階の足場床ＦＬと同じ幅になるように補助足場床ｆｓを形成することが可能となる。
【００５１】
ブラケット１０を取付けた状態で、鉛直軸線Ｄ３を保持する支持軸部１４の上に偏位支柱２ｃが立設される。上述のように、支持軸部１４には連結手段２２が設けられているので、該連結手段２２の軸管部２５に偏位支柱２ｃの下端部を外嵌すると共にロック手段２６により抜止め状にロックされる。これにより、偏位支柱２ｃは、支持軸部１４と同軸状態を保持される。
【００５２】
前記所定高さ中途位置Ｈにおいて狭幅された所定階層の足場床Ｆｓよりも上方の階層には、偏位支柱２ｃ外側支柱２ｂが鉛直方向に平行に立設されるので、偏位支柱２ｃと外側支柱２ｂを短い水平部材６ｅで連結し、該水平部材６ｅに足場板を搭載することにより、狭幅された足場床ＦｓＵが形成される。このような上層階の足場床に関しても、支柱部材３を上方に順次連結することにより偏位支柱２ｃと外側支柱２ｂを延長しながら構築する際に、上述の手摺先行工法を実施することが可能である。この場合、ブラケット１０により狭幅された足場床Ｆｓには、前記水平部材６ｅを連結する外側支柱２ｂの緊結手段５を利用することにより、先行手摺が取付けられる。
【００５３】
（狭幅用ブラケットの使用例における付加的構成）
上述のように狭幅用ブラケット１０を使用することにより足場の足場床を狭幅する際、本発明は、図７に示すような付加的構成を妨げるものではない。
【００５４】
例えば、内側支柱２ａの上端部に他の支柱部材３に設けられた連結手段４と同様の連結手段４ａを設けることにより、鉛直軸線Ｄ１に沿って更に支柱部材３ａを立設しても良い。これにより、前記支柱部材３ａと偏位支柱２ｃを相互に緊結手段５を介して補強水平材６ｄにより連結できるので、上部からブラケット１０に向けて集中する荷重を、前記支柱部材３ａを介して内側支柱２ａに分担させることが可能となる。尚、前記支柱３ａは、１本のみならず複数本でも良く、狭幅の目的を妨げない限度で上方に延設することが可能である。
【００５５】
また、ブラケット１０の係止軸部１６を係止させられた内側支柱２ａの軸方向に鉛直補強材３１を添設することにより、簡単な構成で当該部位における内側支柱２ａを補強することができる。
【００５６】
（ブラケットの作用）
上記構成によれば、拡幅及び狭幅の何れの使用態様においても、ブラケット１０は、拡幅又は狭幅のために偏位を必要とされる支柱２（拡幅の場合は外側支柱２ｂ、狭幅の場合は内側支柱２ａ）に固着手段１３を介して支持アーム１１が固着された状態で、支持軸部１４を鉛直軸線Ｄ３に沿って保持し、該支持軸部１４を耐力軸体１２により下方から支持し、該耐力軸体１２の係止軸部１６を固定手段１９により支柱２の径方向に移動不能に係止すると共に張出片５ｂの上に下動不能に載置しているので、支持軸部１４に立設された偏位支柱２ｃを軸心ずれのない同軸状態にに保持することが可能となる。従って、上部からブラケット１０に作用する荷重Ｐは、ブラケット１０により好適に支持され、図１０に基づいて説明した変更技術例のような歪みを生じることはない。
【００５７】
ところで、ブラケット１０が受ける荷重は、支持アーム１１に対するモーメントと、該支持アーム１１を支持する耐力軸体１２に対する垂直荷重として作用する。そこで、支持アーム１１は、耐力軸体１２により強固に支持され、モーメントに耐えることにより鉛直姿勢に保持する。耐力軸体１２が受ける荷重は、下端部の係止軸部１６に集中するが、上述のように、係止軸部１６は、固定手段１９により、支柱２の径方向に移動不能に係止されると共に、張出片５ｂの上に下動不能に載置されており、集中した荷重を支柱２の鉛直方向に作用させることができるので、歪み変形等を生じることはなく、支持軸部１４の鉛直姿勢を保持した状態で偏位支柱２ｃを好適に支持する。
【００５８】
この際、万一、ブラケット１０が横方向に位置ずれ等を生じると、支持軸部１４と偏位支柱２ｃの軸心ずれを招来するおそれがあるが、上記実施形態のように、挟持手段２７により支柱２の周面を挟持し、更に、座手段２８を張出片５ｂに載置した状態でピン２９を孔３０に挿入係止した構成によれば、仮に強風等により偏位支柱２ｃが横向きの外力を受ける場合でも、ブラケット１０が所定位置で所定姿勢に堅持され、偏位支柱２ｃの軸心ずれを防止することが可能となる。
【００５９】
そして、ブラケット１０は、支持軸部１４に緊結手段１８を設けているので、図４に示すような拡幅用ブラケットと、図６に示すような狭幅用ブラケットを選択的に使用可能とする拡幅・狭幅兼用ブラケットを提供できる利点がある。
【符号の説明】
【００６０】
１  壁面
２ａ  内側支柱
２ｂ  外側支柱
２ｃ  偏位支柱
３  支柱部材
４  連結手段
５、５ａ  緊結手段
５ｂ  張出片
６  水平部材
１０  ブラケット
１１  水平アーム
１２  耐力軸体
１３  固着手段
１４  支持軸部
１５  傾斜軸部
１６  係止軸部
１７  補強骨
１８  緊結手段
１９  固定手段
２７  挟持手段
２８  座手段
２９  ピン
３０  孔
【図１】
0005470325.tif 000002
【図２】
0005470325.tif 000003
【図３】
0005470325.tif 000004
【図４】
0005470325.tif 000005
【図５】
0005470325.tif 000006
【図６】
0005470325.tif 000007
【図７】
0005470325.tif 000008
【図８】
0005470325.tif 000009
【図９】
0005470325.tif 000010
【図１０】
0005470325.tif 000011